(57)【要約】【課題】  大当たりによりノイズの激増が起きているの間はノイズの検出を一時的に行わないようにすることで、前記ノイズの激増による乱調の影響を受けないようにした新規の遊技機用受電回路補助装置を提供する。【解決手段】  安定化電源装置から受電する受電線を経ることで作動するパチンコ等遊技機に用いるものであって、前記受電線に直列に接続される遊技機用個別トランスとノイズフィルターを有し、当該ノイズフィルターは、マイコンにより制御しうるようにされた、前記受電線に流れるパチンコ機の作動電流を検出する作動電流検出手段と前記受電線から受電してダミー抵抗にＤＣ２４Ｖ電圧を印加するダミー負荷用電源手段と前記ダミー抵抗を流れるダミー負荷電流を制御するダミー負荷電流制御手段と前記マイコンに＋５Ｖの制御電圧を印加する制御電源手段と前記マイコンに設定電流値を設定する設定手段とを備えたものである。【選択図】        図２
2004202220.tif 000002
【特許請求の範囲】
【請求項１】
商用ＡＣ電源から入力されたときに定電圧を出力する安定化電源装置を介して受電するようにされた受電線を経ることによって作動するパチンコ等遊技機に用いるものであって、遊技機用個別トランスとノイズフィルターを有し、これら遊技機用個別トランス、ノイズフィルターは直列にされた状態で前記受電線に接続しうるようにされたことを特徴とする遊技機用受電回路補助装置。
【請求項２】
前記ノイズフィルターは、高調波ノイズ、スイッチングノイズ、負荷変動ノイズのうちの一つ以上を除去しうるようにされたことを特徴とする請求項１記載の遊技機用受電回路補助装置。
【請求項３】
前記ノイズフィルターは、前記受電線に流れる電流値が設定電流値より高い状態になったときには前記受電線から隔離しうるようにされ、低い状態になったときには接続状態に戻りうるようにされたことを特徴とする請求項１または２記載の遊技機用受電回路補助装置。
【請求項４】
前記ノイズフィルターは、マイコンを有し、このマイコンにより制御しうるようにされたことを特徴とする請求項１〜３のうちの一つの請求項記載の遊技機用受電回路補助装置。
【請求項５】
前記ノイズフィルターは、ダミー負荷を有し、このダミー負荷はマイコンにより、前記受電線に流れる電流値が設定電流値より高い状態になったときには前記受電線から隔離しうるようにされ、低い状態になったときには接続状態に戻りうるようにされたことを特徴とする請求項１〜４のうちの一つの請求項記載の遊技機用受電回路補助装置。
【請求項６】
前記ノイズフィルターは、前記受電線の入力端には入力側コネクタが接続され出力端には出力側コネクタが接続されており、これら入力側コネクタ、出力側コネクタ間に流れるパチンコ機の作動電流を検出する作動電流検出手段と、前記受電線から受電して前記ダミー抵抗にＤＣ２４Ｖの電圧を印加するダミー負荷用電源手段と、前記ダミー抵抗を流れるダミー負荷電流を制御するダミー負荷電流制御手段と、前記マイコンに＋５Ｖの制御電圧を印加する制御電源手段と、前記マイコンに設定電流値を設定する設定手段を備えていることを特徴とする請求項１〜５のうちの一つの請求項記載の遊技機用受電回路補助装置。
【請求項７】
前記ノイズフィルターは、マイコンによる制御によって、[出力側コネクタの個所の出力電流分]＋[ダミー負荷によるダミー電流分]＝[入力側コネクタの個所の入力電流分]の関係が常に成立しうるようにされたことを特徴とする請求項１〜６のうちの一つ請求項記載の遊技機用受電回路補助装置。
【請求項８】
前記ノイズフィルターは、カレントトランス、バリスタおよび整流器を含むことを特徴とする請求項１〜７のうちの一つ請求項記載の遊技機用受電回路補助装置。
【請求項９】
前記マイコンは、アイドリング状態を維持しうるようにされたことを特徴とする請求項４〜８のうちの一つの請求項記載の遊技機用受電回路補助装置。
【請求項１０】
前記設定手段は、ディップスイッチとロータリースイッチにより設定しうるようにされたことを特徴とする請求項４〜９のうちの一つの請求項記載の遊技機用受電回路補助装置。
【請求項１１】
前記設定手段は、赤外線利用等の無線リモコンにより設定しうるようにされたことを特徴とする請求項４〜９のうちの一つの請求項記載の遊技機用受電回路補助装置。
【請求項１２】
安定化電源装置の出力ラインの終端にリターン線を介してフイ−ドバック機能を果すように形成されたフイ−ドバック制御回路が設けられたことを特徴とする請求項１〜１１のうちの一つの請求項記載の遊技機用受電回路補助装置。
【発明の詳細な説明】
【技術分野】
【０００１】
本発明は、パチンコ機、スロットマシン等遊技機用の受電回路補助装置に関し、大当たりによりノイズの激増が起きているの間はノイズの検出を一時的に行わないようにすることで、前記ノイズの激増による乱調の影響を受けないようにした新規の遊技機用受電回路補助装置を提供する。
【背景技術】
【０００２】
一般に、パチンコ機は、２４Ｖの駆動電源を受電して作動する。
【０００３】
そもそも、パチンコ機は、その多数台が通常両面２列に配置されて所謂“島”を形成し、これら“島”が複数の配列にされた状態でパチンコ店に設置されている。そして、前記各“島”には前記２４Ｖの駆動電源が備えられている。
【０００４】
最近のパチンコ機は、視覚及び聴覚等を介して遊技者の興味を喚起させる必要から、大仕掛けな役物が付加され高度化されている。そして、この種のパチンコ機は、制御回路によりコントロールされる役物の電動部、電飾部、音響部等が数多く装備されている。
【０００５】
そして、前記役物の電動部、電飾部、音響部等は、スイッチングノイズ、高調波ノイズ、負荷変動ノイズ等ノイズを発生するトランジスタ、ダイオード、その他等スイッチング素子及び点滅ランプ等が多く使用されており、ノイズの発生源を多く有しているものである。しかも、前記スイッチング素子及び点滅ランプ等の使用数量は、年々増加する傾向にあり、ノイズの発生量はこれに伴って増大することになるであろう。
【０００６】
前記ノイズの発生は、許容範囲内で問題視しなくとも良いもの、許容範囲外でも抑制手段が施されていて問題視しなくとも良いもののみであるとは限らなく、トラブルを惹起するものが往々にあった。
【０００７】
特に、前記トラブルは、特定のパチンコ機の役物が大当たり状態になった場合に起きる。
【０００８】
このために、パチンコ店にあっては、前記“島”ごとに、当該“島”の中において特定のパチンコ機の役物が大当たり状態になったことに対する防御は、細部にわたり施されている（特許文献１参照）。
【０００９】
しかしながら、前記大当たりによる急激なノイズの増加に備えた対策は、まだまだ必ずしも充分ではなく、現在でもスイッチング部の動作タイミングのバラツキや、玉発射の遅れ等が生じていた。
【００１０】
要するに、従来のパチンコ店にあっては、a.スイッチング部の動作タイミングのバラツキや玉発射の遅れ等が原因で、“島”が満席状態の場合に一台のパチンコ機が所謂フィーバーの状態になると他のパチンコ機にも連鎖的にフィーバーを起きてしまうという問題、b.内的要因から生じるノイズの増加等によって前記スイッチング部の動作に乱れが生じてパチンコ玉が入り易くなってしまうという問題、c.結果的に経営者に多大の損害を与えしまうという問題等が発生していた。
【００１１】
前記諸問題は、観察によれば、大当たりの抽選時に起こる急激なノイズの激増によって惹起されている。
【００１２】
そこで、本発明者は、前記諸問題が大当たりの抽選時後に起こる急激なノイズの激増によって惹起されている点に着目し、本発明を案出した。
【００１３】
【特許文献１】特開平８−１０３５４２号公報
【発明の開示】
【発明が解決しようとする課題】
【００１４】
本発明は、前記のような問題点を解消するために案出したものであって、ノイズの激増が起きていない間は正常にノイズ除去機能を行い、ノイズの激増が起きている大当たりの間はノイズの検出を一時的に行わないようにすることで、前記ノイズの激増による乱調の影響を受けないようにした新規の遊技機用受電回路補助装置を提供することを目的とするものである。
【課題を解決するための手段】
【００１５】
上記目的を達成するために、
【００１６】
請求項１に係る遊技機用受電回路補助装置にあっては、商用ＡＣ電源から入力されたときに定電圧を出力する安定化電源装置を介して受電するようにされた受電線を経ることによって作動するパチンコ等遊技機に用いるものであって、遊技機用個別トランスとノイズフィルターを有し、これら遊技機用個別トランス、ノイズフィルターは直列にされた状態で前記受電線に接続しうるようにされたことを特徴とする。
【００１７】
請求項２に係る遊技機用受電回路補助装置にあっては、前記ノイズフィルターは、高調波ノイズ、スイッチングノイズ、負荷変動ノイズのうちの一つ以上を除去しうるようにされたことを特徴とする。
【００１８】
請求項３に係る遊技機用受電回路補助装置にあっては、前記ノイズフィルターは、前記受電線に流れる電流値が設定電流値より高い状態になったときには前記受電線から隔離しうるようにされ、低い状態になったときには接続状態に戻りうるようにされたことを特徴とする。
【００１９】
請求項４に係る遊技機用受電回路補助装置にあっては、前記ノイズフィルターは、マイコンを有し、このマイコンにより制御しうるようにされたことを特徴とする。
【００２０】
請求項５に係る遊技機用受電回路補助装置にあっては、前記ノイズフィルターは、ダミー負荷を有し、このダミー負荷はマイコンにより、前記受電線に流れる電流値が設定電流値より高い状態になったときには前記受電線から隔離しうるようにされ、低い状態になったときには接続状態に戻りうるようにされたことを特徴とする。
【００２１】
請求項６に係る遊技機用受電回路補助装置にあっては、前記ノイズフィルターは、前記受電線の入力端には入力側コネクタが接続され出力端には出力側コネクタが接続されており、これら入力側コネクタ、出力側コネクタ間に流れるパチンコ機の作動電流を検出する作動電流検出手段と、前記受電線から受電して前記ダミー抵抗にＤＣ２４Ｖの電圧を印加するダミー負荷用電源手段と、前記ダミー抵抗を流れるダミー負荷電流を制御するダミー負荷電流制御手段と、前記マイコンに＋５Ｖの制御電圧を印加する制御電源手段と、前記マイコンに設定電流値を設定する設定手段を備えていることを特徴とする。
【００２２】
請求項７に係る遊技機用受電回路補助装置にあっては、マイコンによる制御によって、[出力側コネクタの個所の出力電流分]＋[ダミー負荷によるダミー電流分]＝[入力側コネクタの個所の入力電流分]の関係が常に成立しうるようにされたことを特徴とする。
請求項８に係る遊技機用受電回路補助装置にあっては、前記ノイズフィルターは、カレントトランス、バリスタおよび整流器を含むことを特徴とする。
【００２３】
請求項９に係る遊技機用受電回路補助装置にあっては、前記マイコンは、アイドリング状態を維持しうるようにされたことを特徴とする。
【００２４】
請求項１０に係る遊技機用受電回路補助装置にあっては、前記設定手段は、ディップスイッチとロータリースイッチにより設定しうるようにされたことを特徴とする。
【００２５】
請求項１１に係る遊技機用受電回路補助装置にあっては、前記設定手段は、赤外線利用等の無線リモコンにより設定しうるようにされたことを特徴とする。
【００２６】
請求項１２に係る遊技機用受電回路補助装置にあっては、安定化電源装置の出力ラインの終端にリターン線を介してフイ−ドバック機能を果すように形成されたフイ−ドバック制御回路が設けられたことを特徴とする。
【発明の効果】
【００２７】
請求項１に係る遊技機用受電回路補助装置は、商用ＡＣ電源から入力されたときに定電圧を出力する安定化電源装置を介して受電するようにされた受電線を経ることによって作動するパチンコ等遊技機に用いるものであって、遊技機用個別トランスとノイズフィルターを有し、これら遊技機用個別トランス、ノイズフィルターは直列にされた状態で前記受電線に接続しうるようにされたことを特徴とするので、トランジスタ、ダイオード、その他等スイッチング素子の作動及び電飾ランプの点滅によりパチンコ機に発生するノイズ及び当該ノイズによる乱調は、遊技機用個別トランスとノイズフィルターの相乗作用によって効果的に抑制され、同一の島に存する他のパチンコ機にも他の島に存するパチンコ機にも悪影響を与えてしまうことがなく、前記連鎖的に起こすフィーバーを回避できる。
【００２８】
請求項２に係る遊技機用受電回路補助装置は、前記ノイズフィルターは、高調波ノイズ、スイッチングノイズ、負荷変動ノイズのうちの一つ以上を除去しうるようにされたことを特徴とするので、パチンコ機のノイズによる乱調を効果的に抑制でき、前記フィーバー等諸問題の惹起を防止できる。
【００２９】
請求項３に係る遊技機用受電回路補助装置は、前記ノイズフィルターは、前記受電線に流れる電流値が設定電流値より高い状態になったときには前記受電線から隔離しうるようにされ、低い状態になったときには接続状態に戻りうるようにされたことを特徴とするので、大当たりによって受電線に大量のノイズを含む高電流が流れている間は、当該受電線からノイズフィルターが隔離されてノイズの検出を一時的に行わないようにすることができ、当該ノイズフィルターに乱調を起きないようにすることができる。
【００３０】
請求項４に係る遊技機用受電回路補助装置は、前記ノイズフィルターは、マイコンを有し、このマイコンにより制御しうるようにされたので、安定した作動状態を簡単且つ確実に得ることができ、小型のものが提供できる。
【００３１】
請求項５に係る遊技機用受電回路補助装置は、前記ノイズフィルターは、ダミー負荷を有し、このダミー負荷はマイコンにより、前記受電線に流れる電流値が設定電流値より高い状態になったときには前記受電線から隔離しうるようにされ、低い状態になったときには接続状態に戻りうるようにされたので、ノイズの激増が起きていない間は正常にノイズ除去機能を行い、ノイズの激増が起きている大当たりの間はノイズの検出を一時的に行わないようにすることができるは勿論であるが、特に前記ノイズの激増が起きていない間は、ダミー負荷によってマイコンの安定動作電流値を確保することができる。
【００３２】
請求項６に係る遊技機用受電回路補助装置は、前記ノイズフィルターは、前記受電線の入力端には入力側コネクタが接続され出力端には出力側コネクタが接続されており、これら入力側コネクタ、出力側コネクタ間に流れるパチンコ機の作動電流を検出する作動電流検出手段と、前記受電線から受電して前記ダミー抵抗にＤＣ２４Ｖの電圧を印加するダミー負荷用電源手段と、前記ダミー抵抗を流れるダミー負荷電流を制御するダミー負荷電流制御手段と、前記マイコンに＋５Ｖの制御電圧を印加する制御電源手段と、前記マイコンに設定電流値を設定する設定手段を備えていることを特徴とするので、ノイズの激増が起きていない間は正常にノイズ除去機能を行い、ノイズの激増が起きている大当たりの間はノイズの検出を一時的に行わないようにすることで、大当たりにより発生した大量のノイズを含む高電流からノイズフィルターを守ることができるは勿論であるが、特に入力側コネクタ及び出力側コネクタを利用して接続線に容易に接続することができるのみならず前記設定手段を任意に操作して設定電流値をマイコンに設定することができる。
【００３３】
請求項７に係る遊技機用受電回路補助装置は、マイコンによる制御によって、[出力側コネクタの個所の出力電流分]＋[ダミー負荷によるダミー電流分]＝[入力側コネクタの個所の入力電流分]の関係が常に成立しうるようにされたので、マイコンにより前記関係の成立を確保することで、大量のノイズを含む高電流からノイズフィルターを守ることができる。
【００３４】
請求項８に係る遊技機用受電回路補助装置にあっては、前記ノイズフィルターは、カレントトランス、バリスタおよび整流器を含むことを特徴とするので、これらカレントトランス、バリスタ、整流器が享有する高調波ノイズ等ノイズの侵入阻止機能によってマイコン１４への高調波ノイズ等ノイズの侵入を効果的に抑制でき、前記マイコン１４の乱調惹起を阻止できる。
【００３５】
請求項９に係る遊技機用受電回路補助装置は、前記マイコンは、アイドリング状態を維持しうるようにされたので、スムーズな作動ができる。
【００３６】
請求項１０に係る遊技機用受電回路補助装置は、前記設定手段は、ディップスイッチとロータリースイッチにより設定しうるようにされたので、きめ細かい設定をすることができる。
【００３７】
請求項１１に係る遊技機用受電回路補助装置は、前記設定手段は、赤外線利用等の無線リモコンにより設定しうるようにされたので、セキュリティー性の高い管理が容易にできる。
【００３８】
請求項１２に係る遊技機用受電回路補助装置は、安定化電源装置の出力ラインの終端にリターン線を介してフイ−ドバック機能を果すように形成されたフイ−ドバック制御回路が設けられたことを特徴とするので、各“島”の各パチンコ機には安定した電圧を常に印加することができる。
【発明を実施するための最良の形態】
【００３９】
本発明の実施の形態に係る遊戯機用受電回路補助装置１は、図１及び図２に示すように、商用ＡＣ１００Ｖ電源に並列に接続された多数個の安定化電源装置２から受電して作動するパチンコ機３の受電回路に組み込まれて使用される。
【００４０】
前記各安定化電源装置２は、そのＡＣ１００Ｖの定電圧を出力する２次側端子に多数個のパチンコ機３が並列に接続された状態で一つの島４を形成する。
【００４１】
前記各島４の各パチンコ機３は、前記安定化電源装置２の出力側ＡＣ１００Ｖ定電圧を入力してＡＣ２４Ｖの定電圧を出力する遊技機用個別トランス５と、これ等遊技機用個別トランス５の出力端子に直列に接続されたノイズフィルター６とを介して接続されている。前記ノイズフィルター６はパチンコ機３に内蔵された構成にして実施することができる。また前記遊技機用個別トランス５とノイズフィルター６は、使用し易くする及び流通性を良くする等のために一つのケースに納めたユニット製品にして提供することができる。
【００４２】
更に、前記安定化電源装置２は、その出力側の終端７に接続されたリターン線８を介してフイ−ドバック制御される。このフイ−ドバック制御回路は、リターン線８を介するフィードバック電流に基づいて安定化電源装置２を制御して前記各遊技機用個別トランス５に供給する電圧を補正し、安定した定格電圧を各パチンコ機３に供給する。このようにした場合には、パチンコ機３の消費電力に変動が生じても、安定化電源装置２の出力電圧はより一定に保つことができて具合がよい。
【００４３】
因みに、各パチンコ機３は、周知のように、リーチ時および大当たり時ならびに時短モード時には電飾ランプの点滅やスイッチング等によりノイズを発生する。このノイズには、いわゆる高調波ノイズ、スイッチングノイズ、負荷変動ノイズ等がある。なお、本文中で言う負荷変動ノイズとは、消費電力の変動に伴って生じる雑音等のことである。
【００４４】
前記ノイズフィルター６は、前記遊技機用個別トランス５のＡＣ２４Ｖ定電圧を出力する二次側端子１０とパチンコ機３の受電端子１１とを接続状態にする受電線１２を有し、ダミー抵抗１３及びマイコン１４等が内蔵されている。そして当該ノイズフィルター６は、前記マイコン１４等を用いたソフト論理により制御される。
【００４５】
次いで、前記ノイズフィルター６について、より詳しく説明する。
【００４６】
すなわち、前記ノイズフィルター６は、前記受電線１２の入力端に入力側コネクタ１６が接続され、出力端に出力側コネクタ１７が接続されており、これら入力側コネクタ１６、出力側コネクタ１７間に流れるパチンコ機３の作動電流を検出する作動電流検出手段１８と、前記受電線１２から受電して前記ダミー抵抗１３にＤＣ２４Ｖの電圧を印加するダミー負荷用電源手段１９と、前記ダミー抵抗１３を流れるダミー負荷電流を制御するダミー負荷電流制御手段２０と、前記マイコン１４等へ＋５Ｖの制御電圧を印加する制御電源手段２１と、前記マイコン１４に制御値を設定する設定手段２２を備えているものである。
【００４７】
そして、前記作動電流検出手段１８は、カレントトランス２３とバリスタ２４と整流器２５と平滑回路２６により構成され、電流検出信号をマイコン１４に送りうるようにされたものである。
【００４８】
前記ダミー負荷用電源手段１９は、バリスタ２７と整流器２８により構成され、受電線１２からバリスタ２７を介して整流器２８の入力側に受電し出力側からＤＣ２４Ｖの電圧を前記ダミー抵抗１３に印加しうるようにされたダミー負荷回路２９を形成する。
【００４９】
前記ダミー負荷電流制御手段２０は、ＦＥＴ３０と当該ＦＥＴ３０の開閉制御回路３１により構成され、マイコン１４から送出された制御信号を開閉制御回路３１を介してＦＥＴ３０に送り、これにより前記ダミー負荷回路２９を開閉しうるようにされたものである。
【００５０】
前記開閉制御回路３１には、詳しくは説明しないがパルス幅制御回路（ＰＷＭ）が利用されている。またＦＥＴ３０の代わりに他のバイポーラ型トランジスタ等スイッチング素子を採用することができる。
【００５１】
前記のようにＦＥＴ３０が使用されたときには、バイポーラトランジスタの場合に比較して回路構成を単純になって有利である。
【００５２】
前記制御電源手段２１は、ダミー負荷用電源手段１９における整流器２８のＤＣ側から入力して＋５Ｖの制御電圧を得て前記マイコン１４等へ供給しうるようにされたものである。さらに、この制御電源手段２１には、マイコン１４等への制御電圧供給をオープン状態にしないようにするための保護抵抗３２が設けられている。
【００５３】
前記設定手段２２は、４ビットのディップスイッチ３３と１０段のロータリースイッチ３４を有し、これらディップスイッチ３３、ロータリースイッチ３４を操作して所望の最大電流値（設定電流値）をマイコン１４の内部に任意に３０段階まで設定しうるようにされたものである。
【００５４】
なお、本発明は、前記ディップスイッチ３３とロータリースイッチ３４による設定手段２２に替えて赤外線利用等の無線リモコンによる設定手段を採用することで実施できる。そして、この無線リモコンによる設定手段によれば、セキュリティー性の高い管理が可能になって好ましい。
【００５５】
また、前記マイコン１４は、メモリ（図示せず）を有する。このメモリは、マイコン１４を動作させるためのプログラムやデータが記憶され、電源が切れている場合でも、記録されたプログラムやデータは消滅しないようにされている。
【００５６】
前記マイコンは、前記作動電流検出手段１８から検出電流が受け、この受けた検出電流値が前記最大電流値（設定電流値）より高い状態になった場合に制御信号を開閉制御回路３１に送って前記ダミー負荷回路２９を開き状態にし、低い状態になった場合に閉じ状態にするようになっている。すなわち、本発明に係るノイズフィルターは、軽負荷の時だけダミー電流が流れるので電力損失が少ないという利点がある。
【００５７】
さらに、前記マイコン１４は、前記保護抵抗３２により、前回終了時の情報を利用して再起動するホットスタートの状態となる。
【００５８】
次に、以上のように構成された本発明の実施の形態に係るノイズフィルター６の動作について説明する。
【００５９】
前記入力側コネクタ１６に入力したＡＣ２４Ｖの電力は、受電線１２および出力側コネクタ１６を介してパチンコ機３に受電される。この場合にあっては、
[出力側コネクタ１６の個所の出力電流分]＋[ダミー抵抗１３によるダミー電流分]＝[入力側コネクタ１６の個所の入力電流分]
の関係が、前記マイコン１４による制御によって、常に成立しうるようにされている。
【００６０】
前記ダミー抵抗１３は、ノイズフィルター６の最小動作電流を確保するために設けたものである。したがって、パチンコ機の動作電流が小さい場合でも前記ノイズフィルター６は機能することができる。
【００６１】
実測によれば、前記[入力側コネクタ１６の個所の入力電流分]は、パチンコ機３が待機状態（アイドリング状態）になっている時には、平均１．５アンペア位であり、リーチ状態になった時には、平均１．８アンペア位であり、大当たり状態になった時には、約５．０アンペア位であった。
【００６２】
また、ノイズについては、待機状態（アイドリング状態）時及びリーチ状態には少なく、大当たり状態時には急激に多くなる。実際には大当たりの抽選直後から急激に多くなる。
【００６３】
前記大当たりの抽選直後からノイズの激増が生じる理由は、電飾ランプの点滅、トランジスタ等スイッチング素子やスィッチの作動等が一挙に始まって増大し激しくなることに起因する。
【００６４】
このような状況においては、前記電飾ランプの点滅、トランジスタ等スイッチング素子やスィッチの作動等が激しくなる大当たり状態になった途端に、ノイズの激増が起きるために、前記マイコン１４の乱調が発生する等の悪影響が出易くなり、トラブルの発生率が高くなる。このトラブルには、パチンコ機が前記スイッチング部の動作が乱れてパチンコ玉が入り易くなる状態や、パチンコ機がいわゆるフィーバー状態になる等がある。
【００６５】
そこで、前記実施の形態に係る遊戯機用受電回路補助装置１は、前記悪影響が出易くなる直前に、受電回路から前記マイコン１４、ダミー抵抗１３の回路を切り離し、また大当たり状態の終了すなわち電流値が所定のところまで降下した時点で前記マイコン１４、ダミー抵抗１３の回路を受電回路に復帰しうるようにし、これによって前記悪影響によるトラブルを回避するようにしてあるものである。前記の切り離し時間は３分〜５分ぐらいである。
【００６６】
換言すれば、本発明は、ノイズが多く発生している間はマイコン１４、ダミー抵抗を意図的に隔離状態にしてこれらマイコン１４等が前記悪影響を受けないように工夫したものである。
【００６７】
すなわち、前記マイコン１４等の意図的隔離状態中は、カレントトランス２３が享有しているノイズ侵入阻止機能、ダミー抵抗１３回路の切り離しによるノイズ侵入阻止、バリスタ２４、２７および整流器２８等が享有しているノイズ侵入阻止機能によってマイコン１４へのノイズ侵入が抑制されるので、前記マイコン１４は乱調を惹起することがない。
【００６８】
また、前記隔離中のマイコン１４には、前記作動電流検出手段１８から検出電流が送られ続け且つ前記制御電源手段２１から電源電圧が送られ続けられうるようにしてある。これによって、前記マイコン１４は、機能し続けて前記大当たり状態終了時点の電流値信号を確実に得ることができる。
【００６９】
なお、前記マイコン１４は、受電および受信中には、予め設定されている基準設定値と前記検出値との差を刻々と算出すると共にこれら算出した値を次々に短時間の平均値として連続して求める要領を行うことでその時点の変動電流値を演算（監視）し、この演算した変動電流値が前記ディップスイッチ３３およびロータリースイッチ３４の操作で設定した所望の最大電流値（設定上限値）になった時に前記隔離状態にし、また当該隔離後に大当たり状態が終了して前記変動電流値が前記最大電流値より小さくなった時点で前記マイコン１４、ダミー抵抗１３の回路を受電回路に復帰しうるようにしてある。
【００７０】
前記ノイズフィルター６の隔離動作は、マイコン１４が０の代入をし続けることで、復帰動作は当該０の代入を停止しうるようにすることで実現できる。
【００７１】
尚、前記の安定化電源装置２は、使用場所や時間帯、気象条件等によって１００Ｖより高い若しくは低い状態に変動されてしまった電圧が商用ＡＣ１００Ｖ電源から入力した場合でも、使用者が設定したＡＣ１００Ｖの定電圧（若くは限りなく１００Ｖに近い定電圧）を安定状態で確実に出力しうるように構成されているものであって１０８Ｖ、１０６Ｖ、１０４Ｖ、１０２Ｖ、１００Ｖ、９８Ｖ、９６Ｖ、９４Ｖ、９２Ｖの商用ＡＣ電源が入力された場合でも使用者が設定したＡＣ１００Ｖの定電圧を安定状態で出力しうるようにしてあるものである。
【００７２】
また、遊技機用個別トランス３は、各パチンコ機４に対して個別独立に電力を供給する機能を果しうるようにされたものであって、前記安定化電源装置２から出力された安定状態のＡＣ１００Ｖの定電圧を受電して、安定状態のＡＣ２４Ｖ定電圧をノイズフィルター６及びパチンコ機４に供給するものである。
【００７３】
したがって、前記遊技機用個別トランス３によれば、パチンコ機４ごとの消費電力の変動及びノイズの変動がパチンコ機間で作用し合って互いに悪影響を及ぼし合うと言うな事態を完全に解消できる。
【００７４】
なお、前記のマイコンは、公知の手段により前記各機能を行うようにプログラミングされている。
【００７５】
本発明は、前記実施の形態の遊戯機用受電回路補助装置１に限定されるものではなく、本発明の特許請求の範囲に記載されている発明の精神を逸脱しない範囲で、設計において種々の変更ができるものである。
【図面の簡単な説明】
【００７６】
【図１】本発明の実施の形態を示す概念図である。
【図２】一つの島分を示す拡大概念図である。
【図３】ノイズフィルターの概念図である。
【符号の説明】
【００７７】
１  遊戯機用受電回路補助装置
２  安定化電源装置
３  パチンコ機
４  島
５  遊技機用個別トランス
６  ノイズフィルター
７  終端
８  リターン線
１０  二次側端子
１１  受電端子
１２  受電線
１３  ダミー抵抗
１４  マイコン
１６  入力側コネクタ
１７  出力側コネクタ
１８  作動電流検出手段
１９  ダミー負荷用電源手段
２０  ダミー負荷電流制御手段
２１  制御電源手段
２２  設定手段
２３  カレントトランス
２４  バリスタ
２５  整流器
２６  平滑回路
２７  バリスタ
２８  整流器
２９  ダミー負荷回路
３０  ＦＥＴ
３１  開閉制御回路
３２  保護抵抗
３３  ディップスイッチ
３４  ロータリースイッチ
【図１】
2004202220.tif 000003
【図２】
2004202220.tif 000004
【図３】
2004202220.tif 000005